(57)【要約】【課題】レンタル利用者に経済的な負担をかけることなく、簡単な構成で、気軽に利用可能なレンタルシステムを提供すること。【解決手段】利用者が販売店Ａで物品を借用すると、販売店用端末装置１０２ａは、利用者が今後購入すべき商品の金額に相当する借用金額を含む借用データをネットワーク１０３を介して送信する。レンタル管理用サーバ１０４は、販売店用端末装置１０２ａからネットワーク１０３を介して受信した前記借用データを借用データ記憶部１０８に記憶し、いずれかの販売店用端末装置１０２ａ〜１０２ｎからネットワーク１０３を介して受信した前記利用者の商品購入金額データが前記借用金額以上の場合、前記借用データを削除する。【選択図】  図１
2004334608.tif 000002
【特許請求の範囲】
【請求項１】
複数の販売店に設けられた販売店用端末装置と、前記複数の販売店用端末装置にネットワーク接続される管理用サーバとを有し、
前記各販売店用端末装置は、レンタル利用者が今後購入すべき商品の金額に相当する借用金額を含む借用データを送信すると共に、前記レンタル利用者が購入した商品の購入金額データを送信し、
前記管理用サーバは、前記各販売店用端末装置からネットワークを介して受信した前記レンタル利用者の借用データを記憶する第１の記憶手段と、いずれかの前記販売店用端末装置からネットワークを介して受信した前記レンタル利用者の商品の購入金額データが前記第１の記憶手段に記憶した借用データに含まれる借用金額以上の場合、前記借用データを前記第１の記憶手段から削除する第１の借用データ削除手段とを備えて成ることを特徴とするレンタルシステム。
【請求項２】
前記管理用サーバは、前記各販売店用端末装置からネットワークを介して受信した前記レンタル利用者の商品の購入金額データが、前記第１の記憶手段に記憶した借用データに含まれる借用金額以上の場合に、返済が完了した旨を通知するための返済完了通知をネットワークを介して出力する通知手段を有すると共に、前記管理用サーバとネットワークを介して接続される信販会社用サーバを有し、
前記信販会社用サーバは、クレジットカードの顧客情報を記憶する顧客情報記憶手段と、前記管理用サーバからネットワークを介して受信した前記借用データを記憶する第２の記憶手段と、前記管理用サーバからネットワークを介して受信した前記返済完了通知に応答して、前記第２の記憶手段に記憶した借用データを前記第２の記憶手段から削除する第２の借用データ削除手段とを備えて成ることを特徴とする請求項１記載のレンタルシステム。
【請求項３】
前記借用データには商品の購入期限を示す期限データが含まれ、前記通知手段は、前記購入期限までに、前記借用金額以上の購入金額データを受信しない場合には、カードによる決済処理を行う旨を通知するための決済処理通知をネットワークを介して出力すると共に、前記信販会社用サーバは、前記管理用サーバからネットワークを介して受信した前記決済処理通知に応答して、前記第２の記憶手段に記憶した借用データの借用金額を決済処理する決済処理手段を備えて成り、前記第２の借用データ削除手段は、前記決済処理手段による決済処理が完了した借用データを前記第２の記憶手段から削除することを特徴とする請求項２記載のレンタルシステム。
【請求項４】
前記各販売店用端末装置は、前記信販会社の顧客用クレジットカードが読み取り可能なカード読み取り手段を有して成り、
前記借用データには、前記カードリーダで読み取ったクレジットカードの利用者情報及び該利用者情報に対応付けた前記借用金額が含まれ、
前記信販会社用サーバは、前記顧客情報記憶手段に記憶された顧客情報に関連付けて、前記借用データを前記第２の記憶手段に記憶することを特徴とする請求項２又は３記載のレンタルシステム。
【請求項５】
前記各販売店用端末装置は、前記各販売店で共通使用可能なカードが読み取り可能なカード読み取り手段を有して成り、
前記借用データには、前記カードリーダで読み取ったカードの利用者情報及び該利用者情報に対応付けた前記借用金額が含まれ、
前記管理用サーバは、前記利用者情報及び前記借用金額を対応付けて前記借用データとして前記第１の記憶手段に記憶することを特徴とする請求項１記載のレンタルシステム。
【請求項６】
前記借用データには商品の購入期限に関連する期限データが含まれ、前記管理サーバは、前記購入期限までに、前記借用金額以上の購入金額データを受信しない場合、前記各販売店用端末装置にネットワークを介して警告を通知する警告通知手段を備えて成ることを特徴とする請求項５記載のレンタルシステム。
【請求項７】
複数の販売店用端末装置からネットワークを介して受信したレンタル利用者が今後購入すべき商品の金額に相当する借用金額を含む借用データを記憶する第１の記憶手段と、いずれかの前記販売店用端末装置からネットワークを介して受信した前記レンタル利用者が購入したの商品の購入金額データが前記第１の記憶手段に記憶した借用データに含まれる借用金額以上の場合、前記借用データを前記第１の記憶手段から削除する第１の借用データ削除手段とを備えて成ることを特徴とするレンタル管理用サーバ。
【請求項８】
前記各販売店用端末装置からネットワークを介して受信した前記レンタル利用者の商品の購入金額データが、前記第１の記憶手段に記憶した借用データに含まれる借用金額以上の場合に、返済が完了した旨を通知するための返済完了通知をネットワークを介して出力する通知手段を備えて成ることを特徴とする請求項７記載のレンタル管理用サーバ。
【請求項９】
前記借用データには商品の購入期限を示す期限データが含まれ、前記通知手段は、前記購入期限までに、前記借用金額以上の購入金額データを受信しない場合には、カードによる決済処理を行う旨を通知するための決済処理通知をネットワークを介して出力することを特徴とする請求項８記載のレンタル管理用サーバ。
【請求項１０】
前記借用データには商品の購入期限を示す期限データが含まれ、前記購入期限までに、前記借用金額以上の購入金額データを受信しない場合、ネットワークを介して警告を通知する警告通知手段を備えて成ることを特徴とする請求項８記載のレンタル管理用サーバ。
【発明の詳細な説明】
【０００１】
【発明の属する技術分野】
本発明は、同系列の複数の販売店網を利用してレンタルを行うレンタルシステム及び前記レンタルシステムに適したレンタル管理用サーバに関し、特に、コンビニエンスストアやキヨスク等の大規模な販売店舗網を利用してレンタルを行うのにより適したレンタルシステム及び前記レンタルシステムに適したレンタル管理用サーバに関する。
【０００２】
【従来の技術】
日常生活において必要なため所有しているにもかかわらず、必要な時に偶々携帯していないため、仕方なくその都度購入する物品は多い。
例えば、傘のケースで考えると、一般に誰でも傘を所有しており、自宅等に備えている。しかしながら、外出先で突然の雨にあい、急遽傘が必要になった場合、自宅等には傘を備えているものの、仕方なく、コンビニエンスストア等で傘を購入した経験は多くの人があると思われる。そこで購入した傘は雨がやめば基本的に不用なものであり、消費者に対する費用対効果は非常に低く、またこれらの製品の廃棄等面倒な処理が必要になる。また、これらの製品を常時携帯することは煩雑であり、また面倒でもある。
一方、物品を購入することなく、物品の購入金額以下で利用できたり、物品の廃棄処理等をする必要のないレンタルを利用する方法がある（例えば、特許文献１、特許文献２参照）。
【０００３】
【特許文献１】
特開２００２−９９９３３号公報
【特許文献２】
特開２００２−１９７５４７号公報（第２頁〜第３頁、図１）
【０００４】
【発明が解決しようとする課題】
しかしながら、前記特許文献２記載の発明では、利用者はレンタルの利用料を負担する必要があるため、経済的な負担が大きいという問題がある。また、ポイントを利用して決済しているため、システムが複雑になるという問題がある。また、レンタルの利用が特定の店舗に限られる場合には、利用が面倒になるという問題がある。
【０００５】
本発明は、かかる問題点に鑑みて成されたもので、利用者に経済的な負担をかけることなく、簡単な構成で、気軽に利用可能なレンタルシステムを提供することを課題としている。
また、本発明は、前記レンタルシステムに適したレンタル管理用サーバを提供することを課題としている。
【０００６】
【課題を解決するための手段】
本発明によれば、複数の販売店に設けられた販売店用端末装置と、前記複数の販売店用端末装置にネットワーク接続される管理用サーバとを有し、前記各販売店用端末装置は、レンタル利用者が今後購入すべき商品の金額に相当する借用金額を含む借用データを送信すると共に、前記レンタル利用者が購入した商品の購入金額データを送信し、前記管理用サーバは、前記各販売店用端末装置からネットワークを介して受信した前記レンタル利用者の借用データを記憶する第１の記憶手段と、いずれかの前記販売店用端末装置からネットワークを介して受信した前記レンタル利用者の商品の購入金額データが前記第１の記憶手段に記憶した借用データに含まれる借用金額以上の場合、前記借用データを前記第１の記憶手段から削除する第１の借用データ削除手段とを備えて成ることを特徴とするレンタルシステムが提供される。
【０００７】
各販売店用端末装置は、レンタル利用者が今後購入すべき商品の金額に相当する借用金額を含む借用データを送信すると共に、前記レンタル利用者が購入した商品の購入金額データを送信する。管理用サーバにおいては、前記各販売店用端末装置からネットワークを介して受信したレンタル利用者の借用データを第１の記憶手段に記憶し、第１の借用データ削除手段は、いずれかの前記販売店用端末装置からネットワークを介して受信した前記レンタル利用者の商品の購入金額データが前記第１の記憶手段に記憶した借用データに含まれる借用金額以上の場合、前記借用データを前記第１の記憶手段から削除する。
【０００８】
ここで、前記管理用サーバは、前記各販売店用端末装置からネットワークを介して受信した前記レンタル利用者の商品の購入金額データが、前記第１の記憶手段に記憶した借用データに含まれる借用金額以上の場合に、返済が完了した旨を通知するための返済完了通知をネットワークを介して出力する通知手段を有すると共に、前記管理用サーバとネットワークを介して接続される信販会社用サーバを有し、前記信販会社用サーバは、クレジットカードの顧客情報を記憶する顧客情報記憶手段と、前記管理用サーバからネットワークを介して受信した前記借用データを記憶する第２の記憶手段と、前記管理用サーバからネットワークを介して受信した前記返済完了通知に応答して、前記第２の記憶手段に記憶した借用データを前記第２の記憶手段から削除する第２の借用データ削除手段とを備えて成るように構成してもよい。
【０００９】
また、前記借用データには商品の購入期限を示す期限データが含まれ、前記通知手段は、前記購入期限までに、前記借用金額以上の購入金額データを受信しない場合には、カードによる決済処理を行う旨を通知するための決済処理通知をネットワークを介して出力すると共に、前記信販会社用サーバは、前記管理用サーバからネットワークを介して受信した前記決済処理通知に応答して、前記第２の記憶手段に記憶した借用データの借用金額を決済処理する決済処理手段を備えて成り、前記第２の借用データ削除手段は、前記決済処理手段による決済処理が完了した借用データを前記第２の記憶手段から削除するように構成してもよい。
【００１０】
また、前記各販売店用端末装置は、前記信販会社の顧客用クレジットカードが読み取り可能なカード読み取り手段を有して成り、前記借用データには、前記カードリーダで読み取ったクレジットカードの利用者情報及び該利用者情報に対応付けた前記借用金額が含まれ、前記信販会社用サーバは、前記顧客情報記憶手段に記憶された顧客情報に関連付けて、前記借用データを前記第２の記憶手段に記憶するように構成してもよい。
また、前記各販売店用端末装置は、前記各販売店で共通使用可能なカードが読み取り可能なカード読み取り手段を有して成り、前記借用データには、前記カードリーダで読み取ったカードの利用者情報及び該利用者情報に対応付けた前記借用金額が含まれ、前記管理用サーバは、前記利用者情報及び前記借用金額を対応付けて前記借用データとして前記第１の記憶手段に記憶するように構成してもよい。
また、前記借用データには商品の購入期限に関連する期限データが含まれ、前記管理サーバは、前記購入期限までに、前記借用金額以上の購入金額データを受信しない場合、前記各販売店用端末装置にネットワークを介して警告を通知する警告通知手段を備えて成るように構成してもよい。
【００１１】
また、本発明によれば、複数の販売店用端末装置からネットワークを介して受信したレンタル利用者が今後購入すべき商品の金額に相当する借用金額を含む借用データを記憶する第１の記憶手段と、いずれかの前記販売店用端末装置からネットワークを介して受信した前記レンタル利用者が購入したの商品の購入金額データが前記第１の記憶手段に記憶した借用データに含まれる借用金額以上の場合、前記借用データを前記第１の記憶手段から削除する第１の借用データ削除手段とを備えて成ることを特徴とするレンタル管理用サーバが提供される。
第１の記憶手段は、複数の販売店用端末装置からネットワークを介して受信したレンタル利用者が今後購入すべき商品の金額に相当する借用金額を含む借用データを記憶する。第１の借用データ削除手段は、いずれかの前記販売店用端末装置からネットワークを介して受信した前記レンタル利用者が購入したの商品の購入金額データが前記第１の記憶手段に記憶した借用データに含まれる借用金額以上の場合、前記借用データを前記第１の記憶手段から削除する。
【００１２】
ここで、前記各販売店用端末装置からネットワークを介して受信した前記レンタル利用者の商品の購入金額データが、前記第１の記憶手段に記憶した借用データに含まれる借用金額以上の場合に、返済が完了した旨を通知するための返済完了通知をネットワークを介して出力する通知手段を備えて成るように構成してもよい。
また、前記借用データには商品の購入期限を示す期限データが含まれ、前記通知手段は、前記購入期限までに、前記借用金額以上の購入金額データを受信しない場合には、カードによる決済処理を行う旨を通知するための決済処理通知をネットワークを介して出力するように構成してもよい。
また、前記借用データには商品の購入期限を示す期限データが含まれ、前記購入期限までに、前記借用金額以上の購入金額データを受信しない場合、ネットワークを介して警告を通知する警告通知手段を備えて成るように構成してもよい。
【００１３】
【発明の実施の形態】
以下、本発明の実施の形態に係るレンタルシステム及び前記レンタルシステムに適したレンタル管理用サーバについて説明する。
図１は、本発明の第１の実施の形態に係るレンタルシステムのブロック図である。
図１において、複数の販売店Ａ〜販売店Ｂには、各々、販売店用端末装置１０２ａ〜１０２ｎ、各販売店用端末装置１０２ａ〜１０２ｎに接続されたカードリーダ１０１ａ〜０１ｎが設けられている。
複数の販売店Ａ〜販売店Ｂは、広い地域にチェーン展開している販売店である。複数の販売店Ａ〜販売店Ｂは、例えば、コンビニエンスストア、キヨスク等の広域店舗がある。
【００１４】
各販売店用端末装置１０２ａ〜１０２ｎは、コンピュータによって構成されている。各販売店用端末装置１０２ａ〜１０２ｎに接続されたカードリーダ１０１ａ〜１０２ｎは、信販会社用のクレジットカードのデータが読取り可能なカードリーダである。
各販売店用端末装置１０２ａ〜１０２ｎは、通信路であるネットワーク（本実施の形態ではインターネット）１０３を介して、管理センタに配設されたレンタル管理用サーバ１０４に接続されている。
レンタル管理用サーバ１０４は、コンピュータによって構成されており、記憶部１０７を有している。記憶部１０７は、第１の記憶手段を構成する借用データ記憶部１０８を有しており又、後述する処理を行うためのプログラムを記憶している。
【００１５】
レンタル管理用サーバ１０４は、通信路であるネットワーク（本実施の形態ではインターネット）１０５を介して、信販会社に配設された信販会社用サーバ１０６に接続されている。
信販会社用サーバ１０６は、コンピュータによって構成されており、記憶部１１１を有している。記憶部１１１は、借用データを記憶するための第２の記憶手段を構成する借用データ記憶部１１２およびクレジットカードの顧客情報を予め記憶するクレジットカード顧客情報記憶手段を構成するクレジットカード顧客情報記憶部１１３を有しており又、後述する処理を行うためのプログラムを記憶している。
図２は、図１に示したレンタル管理用サーバ１０４の処理を示すフローチャートであり、レンタル管理用サーバ１０４の中央処理装置（ＣＰＵ）（図示せず）が記憶部１０７に記憶したプログラムを実行することにより行われる処理を示すフローチャートである。
また、図３及び図４は、図１に示したレンタルシステムの動作を説明するための説明図である。
【００１６】
以下、図１〜図４を用いて、本第１の実施の形態に係るレンタルシステム及びレンタル管理用サーバ１０４の動作を詳細に説明する。
先ず、レンタル利用者３０１は、販売店Ａ３０３にレンタルを希望する対象物品（本実施の形態では傘３０２）が存在するか確認をする。尚、基本的に、レンタル対象物品は傘、ライター等の再利用が可能、且つ、物流に大きな影響を与えない程の小さい物品としている。
希望のレンタル対象物品があれば、販売店Ａ３０３の店員に対して前記物品の借用依頼を行う（図３の▲１▼）。借用依頼手続きを行う場合、利用者を証明する証明書として、信販会社で取り扱うクレジットカードで行う。
ここで、カードリーダ１０１ａは、利用者３０１のクレジットカードに記憶され利用者３０１を表す氏名等の個人情報（利用者３０１を表す固有情報）を読み取り、販売店用端末装置１０２ａに出力する。
【００１７】
販売店用端末装置１０２ａは、前記個人データ及び販売員によって入力された借用データをインターネット１０３を介して、管理センタ３０４に配設されたレンタル管理用サーバ１０４に送信する（図３の▲２▼）。前記借用データには、少なくともレンタルの対価としてレンタル利用者が今後購入すべき商品の金額に相当する借用金額および商品の購入期限を示す期限データが含まれており、前記借用データはクレジットカードの利用者情報に関連付けられている。また、前記借用データには、借用する物品のデータ（例えば、物品名や物品番号）が含まれている。レンタル用物品には一意の番号が予め振り分けられており、これにより、物品返却の際に他の偽物が返却されることを防止できる。また、前記借用データには借用日付を含むように構成してもよい。
【００１８】
レンタル管理サーバ１０４は、端末装置１０２ａからインターネット１０３を介してレンタル利用者データ及び借用データを受信すると（図２のステップＳ２０１）、受信した利用者データ及び借用データを対応付けて、記憶部１０７の借用データ記憶部１０８に記憶する（ステップＳ２０２）。
レンタル管理サーバ１０４は、借用データ記憶部１０８に対応付けて記憶した前記利用者データ及び借用データを、インターネット１０５を介して、信販会社３０５に配設された信販会社用サーバ１０６に送信する（図３の▲３▼）。信販会社用サーバ１０６は、記憶部１１１の借用データ記憶部１１２に、クレジットカード顧客情報記憶部１１３に記憶している前記レンタル利用者の顧客情報に関連付けて前記借用データを記憶する。
【００１９】
尚、信販会社用サーバ１０６は、クレジットカード顧客情報記憶部１１３に、前記利用者３０１の顧客情報が記憶されていない場合には、該利用者３０１が該信販会社のクレジットカードは利用できない者であることを管理用サーバ１０４に通知する（図３の▲４▼）。管理用サーバ１０４は、該利用者３０１が該信販会社のクレジットカードは利用できない者である旨の通知をサーバ１０６から受信すると、該利用者３０１が該信販会社のクレジットカードは利用できない者であることを販売店用端末装置１０２ａに通知する。これにより、販売店Ａ３０３の店員は、前記利用者３０１へのレンタルを拒否する等の処置をとることができる。
【００２０】
販売店Ａ３０３の店員は、利用者３０１に対してレンタル可能な場合には、利用者３０１に借用物品名・レンタルの対価としての商品を購入する購入期限・レンタルの対価としての商品の購入金額に相当する借用金額を記載した領収書および借用物品３０２を手渡してレンタルを行う（図３の▲６▼）。
利用者３０１は、前記購入期限内に、複数の販売店Ａ〜販売店ｎの中のいずれかの販売店に、借用した物品３０２の返却を行う（図４のイ）。借用物品３０２の返却は、借用物品３０２を借用した販売店Ａ３０３に限られず、販売店Ａ３０３のチェーン店（レンタル管理サーバ１０４とネットワーク接続される販売店用端末装置１０２ａ〜１０２ｎを備えた販売店Ａ〜Ｂ）、例えば販売店Ｂ４０２に返却することができる。
【００２１】
返却の際には、返却先の販売店Ｂ４０２で販売している商品４０１を購入する（図４のロ）。購入金額は、物品３０２を借用するときに受領した前記領収書に記載されている借用金額以上である必要がある。
前記販売店Ｂ４０２において、店員は、返却された借用物品３０２に破損等が無いか否かを確認後、問題なければ、販売店用端末装置１０２ｎから返却データをインターネット１０３を介して管理用サーバ１０４に送信する（図４のハ）。
前記返却データには、前記利用者３０１が販売店Ｂ４０２で購入した商品の合計金額である購入金額データが前記利用者３０１と関連付けられて含まれている。
【００２２】
レンタル管理用サーバ１０４は、販売店用端末装置１０２ｎからネットワーク１０３を介して前記返却データを受信し、該返却データに含まれる商品の購入金額データが前記借用金額以上の場合、借用品返却処理が正常に完了したと判断して（ステップＳ２０３）、信販会社３０５のサーバ１０６に対してネットワーク１０５を介して返済完了通知を通知し（ステップＳ２０４、図４のニ）、借用データ記憶部１０８に記憶していた前記借用データを削除して処理を終了する（ステップＳ２０５）。ここで、ステップＳ２０４は通知手段を構成し又、ステップＳ２０５は第１の借用データ削除手段を構成している。
信販会社用サーバ１０６は第２の借用データ削除手段を有しており、前記第２の借用データ削除手段により、管理用サーバ１０４からネットワーク１０５を介して受信した前記返済完了通知に応答して、借用データ記憶部１１２に記憶した前記借用データを削除する。
【００２３】
一方、前記借用データには商品の購入期限を表す期限データが含まれているため、管理用サーバ１０４は、前記購入期限に至ったか否かを判断し（ステップＳ２０６）、前記購入期限までに前記借用金額以上の購入金額データを受信しない場合には、カードによる決済処理を行う旨を通知するための決済処理通知をネットワーク１０５を介して出力し（ステップＳ２０７）、借用データを削除する（ステップＳ２０８）。ステップＳ２０７は通知手段を構成し又、ステップＳ２０８は第１の借用データ削除手段を構成している。
信販会社用サーバ１０６は決済処理手段を有しており、前記決済処理手段は、管理用サーバ１０４からネットワーク１０５を介して受信した前記決済処理通知に応答して、借用データ記憶部１１２に記憶した前記借用データの借用金額を決済処理する。これにより、信販会社から前記借用金額が前記販売店Ａに支払われると共に、前記利用者への貸出金額に前記借用金額を加算処理する。この場合、借用物品３０２は、利用者３０１が購入したものとし、返却は不要にする。
【００２４】
以上述べたように本第１の実施の形態に係るレンタルシステムによれば、一時的にしか使われない場合が多い物品をレンタル化することで、利用者の費用負担を減少させることが可能になり、費用対効果の向上を図ることが可能になる。
また、常時使用するわけではなく、一時的にしか使用しないような物品の管理や廃棄処理が不要になる。
また、利用者が商品を購入することになるため、販売店の利益が向上するという効果を奏する。
また、従来のようにポイントを使用することなく、現金での決済を行うため、システム構成が簡単になると言う効果を奏する。
また、利用者は、ネットワーク化された販売店のいずれの販売店に借用品を返却することが可能になるため、気軽に利用することが可能である。
また、前記第１の実施の形態に係るレンタル管理用サーバは、前記レンタルシステムに適している。
【００２５】
図５は、本発明の第２の実施の形態に係るレンタルシステムのブロック図であり、図１〜図４と同一部分には同一符号を付している。
前記第１の実施の形態では、利用者を確認するために信販会社のクレジットカードを利用して、借用品の返却が所定期限に間に合わなかった場合は前記クレジットカードで決済処理を行うようにしたが、本第２の実施の形態では、販売会社専用の会員カードを用いて利用者の確認を行うようにしている。
【００２６】
図５において、管理センタに配設されたレンタル管理用サーバ１０４は、記憶部５０１に借用データを記憶し第１の記憶手段を構成する借用データ記憶部１０８および販売会社の会員の氏名等の会員個人の情報を記憶し、会員情報記憶手段を構成する会員情報記憶部５０２を有している。
借用物品の借用処理を行う場合、各販売店Ａ〜Ｂに設けられたカードリーダ１０１ａ〜１０１ｎは、会員情報が記憶された会員カードを読み取って、対応する販売店用端末装置１０２ａ〜１０２ｎに出力する。会員情報を受信した販売店用端末装置１０２ａ〜１０２ｎは、前記会員情報対応付けた借用データを、ネットワーク１０３を介してレンタル管理用サーバ１０４に送信する。
【００２７】
レンタル管理用サーバ１０４は、会員情報記憶部５０２に記憶している前記利用者の会員情報に関連付けて、借用データ記憶部１０８に前記借用データを記憶する。
前記借用データには商品の購入期限を表す期限データが含まれており又、レンタル管理用サーバ１０４は警告手段を有しており、前記購入期限までに、前記借用金額以上の購入金額データを受信しない場合、前記警告手段は、前記各販売店用端末装置１０２ａ〜１０２ｎにネットワーク１０３を介して警告を通知する。本第２の実施の形態においても、前記第１の実施の形態と同様の効果を奏する。
【００２８】
尚、管理用サーバ１０４は、会員情報記憶部５０２に、前記利用者の会員情報が記憶されていない場合には、該利用者が該販売会社の会員ではない者であることを、前記借用データを送信してきた販売店用端末装置に通知する。これにより、当該販売店の店員は、前記利用者へのレンタルを拒否する等の処置をとることができる。その他の処理は、信販会社を利用しない点が相違するのみで、前記第１の実施の形態と同様である。
また、レンタル管理用サーバ１０４は、購入期限までに複数の販売店Ａ〜Ｂの販売店用端末装置１０２ａ〜１０２ｎから受信した同一の利用者の商品購入金額の合計金額が前記借用金額以上になった場合には、借用品返却処理が正常に完了したと判断して、借用データの削除処理などを行うように構成してもよい。
【００２９】
【発明の効果】
本発明によれば、レンタル利用者に経済的な負担をかけることなく、簡単な構成で、気軽に利用可能なレンタルシステムを提供することが可能になる。
また、前記レンタルシステムに適したレンタル管理用サーバを提供することが可能になる。
【図面の簡単な説明】
【図１】本発明の第１の実施の形態に係るレンタルシステムのブロック図である。
【図２】本発明の第１の実施の形態に係るレンタルシステムにおける処理を示すフローチャートである。
【図３】本発明の第１の実施の形態に係るレンタルシステムの動作を説明するための説明図である。
【図４】本発明の第１の実施の形態に係るレンタルシステムの動作を説明するための説明図である。
【図５】本発明の第２の実施の形態に係るレンタルシステムのブロック図である。
【符号の説明】
１０１ａ〜１０１ｎ・・・カード読み取り手段を構成するカードリーダ
１０２ａ〜１０２ｎ・・・販売店用端末装置
１０３、１０５・・・通信路を構成するインターネット
１０４・・・レンタル管理用サーバ
１０６・・・信販会社用サーバ
１０７、１１１、５０１・・・記憶手段を構成する記憶部
１０８・・・第１の記憶手段を構成する借用データ記憶部
１１２・・・第２の記憶手段を構成する借用データ記憶部
１１３・・・顧客情報記憶手段を構成するクレジットカード顧客情報記憶部
３０１・・・利用者
３０２・・・借用品である傘
３０３・・・販売店Ａ
３０４・・・管理センタ
３０５・・・信販会社
４０１・・・商品
４０２・・・販売店Ｂ
５０２・・・会員情報記憶手段を構成する会員情報記憶部
【図１】
2004334608.tif 000003
【図２】
2004334608.tif 000004
【図３】
2004334608.tif 000005
【図４】
2004334608.tif 000006
【図５】
2004334608.tif 000007